(57)【要約】【課題】  キャップにより、簡単に少量用または大量用の注出口を選択して、所望した液量を注出することができる注出キャップを提供すること。【解決手段】  容器の口筒部に装着される下キャップと、下キャップにヒンジを介して一体成形された上キャップとからなる注出キャップにおいて、下キャップは、外縁にヒンジが連設される上壁と、注出筒と、容器の口筒部の外周と係合する外筒とを具え、上キャップは、頂壁と、頂壁に垂設され、下部外周が下キャップの注出筒の内周に係合する外周壁と、外周壁の外周に連設される上壁と、上壁の外縁に垂設され、内周が下キャップに係合するとともに、外周下端にヒンジが連設される外筒とを具え、外周壁の上端部には、外側に延びる少量注出口部が配設されていることを特徴とする。【選択図】  図１
2010006448.tif 000002
【特許請求の範囲】
【請求項１】
容器の口筒部に装着される下キャップと、下キャップにヒンジを介して一体成形された上キャップとからなる注出キャップにおいて、
下キャップは、外縁にヒンジが連設される上壁と、注出筒と、容器の口筒部の外周と係合する外筒とを具え、
上キャップは、頂壁と、頂壁に垂設され、下部外周が下キャップの注出筒の内周に係合する外周壁と、外周壁の外周に連設される上壁と、上壁の外縁に垂設され、内周が下キャップに係合するとともに、外周下端にヒンジが連設される外筒とを具え、
外周壁の上端部には、外側に延びる少量注出口部が配設されていることを特徴とする注出キャップ。
【請求項２】
下キャップの注出筒が、大量注出口部を形成し、
上キャップの少量注出口部が複数配設されていることを特徴とする請求項１記載の注出キャップ。
【請求項３】
少量注出口部およびそれぞれの流通孔の径が相違していることを特徴とする請求項２記載の注出キャップ。
【請求項４】
上キャップの外筒内周が、下キャップの注出筒外周と係合し、下キャップに対して上キャップが閉蓋状態で保持されることを特徴とする請求項１〜３のいずれかに記載の注出キャップ。
【請求項５】
下キャップは、上壁上面に係合筒を設け、
注出筒の上端部が、液を注出しやすいように外方向に拡径してラッパ状に形成され、
上キャップの外周内周が、下キャップの係合筒外周と係合し、下キャップに対して上キャップが閉蓋状態で保持されることを特徴とする請求項１〜３のいずれかに記載の注出キャップ。
【請求項６】
ヒンジにより、下キャップに対して上キャップが開蓋状態を維持して固定されることを特徴とする請求項１〜５のいずれかに記載の注出キャップ。
【請求項７】
下キャップの外筒と上キャップの外筒に互いに係合する係合部を設け、下キャップに対して上キャップが開蓋状態を維持して固定されることを特徴とする請求項１〜６のいずれかに記載の注出キャップ。
【請求項８】
下キャップの注出筒下端に隔壁が設けられ、該隔壁にプルリングを立設した除去部が配設されていることを特徴とする請求項１〜７のいずれかに記載の注出キャップ。
【発明の詳細な説明】
【技術分野】
【０００１】
本発明は、注出キャップ、とくに、内容液の注出量を変更する注出キャップに関するものである。
【背景技術】
【０００２】
内容液を充填した容器の口筒部に装着する注出キャップにおいて、注出キャップに設けた注出口より液を適量ずつ注出することのできるキャップは、従来より知られている（例えば、特許文献１参照）。
【特許文献１】実開平５−８１０４７号公報
【発明の開示】
【発明が解決しようとする課題】
【０００３】
しかしながら、上記特許文献１記載の注出キャップは、キャップに設けた注出口の径により、液が一定の量ずつ注出されるものであるが、使用者の必要により、一度に大量に注出する場合、キャップを容器の口筒部より外し、口筒部より直接注出するようなことがあり、使用中にその都度、容器からキャップを外したり、装着し直したりしなくてはならず、面倒であった。
【０００４】
本発明は、上記問題を解決することを課題とし、キャップにより、簡単に少量用または大量用の注出口を選択して、所望した液量を注出することができる注出キャップを提供することを目的とする。
【課題を解決するための手段】
【０００５】
本発明は、上記の課題を解決するため、注出キャップとして、容器の口筒部に装着される下キャップと、下キャップにヒンジを介して一体成形された上キャップとからなる注出キャップにおいて、下キャップは、外縁にヒンジが連設される上壁と、注出筒と、容器の口筒部の外周と係合する外筒とを具え、上キャップは、頂壁と、頂壁に垂設され、下部外周が下キャップの注出筒の内周に係合する外周壁と、外周壁の外周に連設される上壁と、上壁の外縁に垂設され、内周が下キャップに係合するとともに、外周下端にヒンジが連設される外筒とを具え、外周壁の上端部には、外側に延びる少量注出口部が配設されていることを特徴とする構成を採用する。
【０００６】
注出口部の実施例として、下キャップの注出筒が、大量注出口部を形成し、上キャップの少量注出口部が複数配設されていることを特徴とする構成、また、少量注出口部およびそれぞれの流通孔の径が相違していることを特徴とする構成を採用する。
【０００７】
下キャップと上キャップの実施例として、上キャップの外筒内周が、下キャップの注出筒外周と係合し、下キャップに対して上キャップが閉蓋状態で保持されることを特徴とする構成、または、下キャップは、上壁上面に係合筒を設け、注出筒の上端部が、液を注出しやすいように外方向に拡径してラッパ状に形成され、上キャップの外周内周が、下キャップの係合筒外周と係合し、下キャップに対して上キャップが閉蓋状態で保持されることを特徴とする構成を採用する。
【０００８】
上キャップを開蓋状態を維持して固定させるために、ヒンジにより、下キャップに対して上キャップが開蓋状態を維持して固定されることを特徴とする構成、または、下キャップの外筒と上キャップの外筒に互いに係合する係合部を設け、下キャップに対して上キャップが開蓋状態を維持して固定されることを特徴とする構成を採用する。
【０００９】
下キャップの注出筒の実施例として、下キャップの注出筒下端に隔壁が設けられ、該隔壁にプルリングを立設した除去部が配設されていることを特徴とする構成を採用する。
【発明の効果】
【００１０】
注出キャップを容器の口筒部に装着される下キャップと、下キャップにヒンジを介して一体成形された上キャップとし、上キャップを下キャップに対して開閉することで、上キャップに設けた少量注出口部、または、下キャップの注出筒を使用して注出量を選択して使用することが簡単にできるようになった。
【発明を実施するための最良の形態】
【００１１】
次に、本発明の注出キャップについて、実施例をあげ、図面を参照して説明する。
【実施例１】
【００１２】
図１、２において、Ａは容器の口筒部に装着される下キャップ、Ｂは下キャップＡにヒンジＣを介して一体成形された上キャップである。
【００１３】
下キャップＡは、外縁の所定の位置にヒンジＣが連設されるリング状の上壁１と、上壁１の内縁に垂設され、外周が容器の口筒部の内周に挿入されるとともに、内周下部に隔壁２を設けた内筒３と、上壁１の内縁に立設され、外周が上キャップＢと係合する注出筒４と、上壁１の外縁に垂設され、内周が容器の口筒部の外周に係合する外筒５とからなっている。
【００１４】
隔壁２には、注出口を開口するため、薄肉の弱化部６により除去部７が設けられており、除去部７の所定の位置には、プルリング８が立設されている。
【００１５】
注出筒４の外周には、上キャップＢと係合する係合部９が設けられている。
【００１６】
外筒５の内周には、容器の口筒部の外周に係合する係合部１０が設けられている。
【００１７】
上キャップＢは、頂壁１５と、頂壁１５周縁に垂設され、下部外周が下キャップＡの注出筒４の内周に係合する外周壁１６と、外周壁１６の外周に連設され、下面が注出筒４の上面に係合するリング状の上壁１７と、上壁１７の外縁に垂設され、内周が注出筒４の外周に係合するとともに、外周下端の所定の位置にヒンジＣが連設される外筒１８とを具えている。
【００１８】
外周壁１６の上端部には、ヒンジＣ方向に対して両側方向に延び、頂壁１５とともに形成される一対の少量注出口部１９が配設され、少量注出口部１９の先端中央から外周壁１６の内周まで流通孔２０が穿設されている。
【００１９】
外筒１８の内周には、下キャップＡの注出筒４の外周に係合する係合部２１が設けられている。
【００２０】
ヒンジＣは、例えば、三点ヒンジ等、下キャップＡに対して上キャップＢを開蓋した際に、図２に示すように、開蓋状態を維持して固定することができるものである。
【００２１】
次に、内容液を充填した容器の口筒部に装着した本実施例の注出キャップの作用効果について説明する。
まず、内容液を注出する際には、下キャップＡと上キャップＢの係合を外し、上キャップＢをヒンジＣを介して開蓋した後、下キャップＡのプルリング８を引張り、隔壁２から除去部７を抜栓し、開口する。
【００２２】
内容液を少量ずつ注出する際には、下キャップＡに対して上キャップＢを係合させ、閉蓋した状態で、容器を上キャップＢのいずれかの少量注出口部１９の方向に徐々に傾けると、容器内の内容液が下キャップＡの隔壁２の開口より内筒３内周に流れ出し、上キャップＢの外周壁１６内周を伝い、少量注出口部１９の流通孔２０より細幅にかつ少量ずつ外に注出することができる。
その際、傾けた方向の反対側の少量注出口部１９が空気孔となり、キャップ内での液と空気の置換が行われるので、液をスムーズに注出することができる。
【００２３】
内容液を大量に注出する際には、下キャップＡと上キャップＢの係合を外し、ヒンジＣを介して開蓋した状態で、容器をヒンジＣの方向と異なる方向に傾けると、容器内の内容液が下キャップＡの隔壁２の開口より内筒３内周に流れ出し、注出筒４を介して広幅かつ大量に外に注出することができる。
その際、ヒンジＣにより、下キャップＡに対して上キャップＢを開蓋した際に、開蓋状態を維持して固定されるので、注出中に上キャップＢが動き、注出の邪魔をすることを防止することができる。
【００２４】
本実施例の注出キャップは、上キャップＢを下キャップＡに対して開閉して容器を傾けることで、簡単かつ繰り返して、内容液を大量、または少量に選択して注出することができる。
【００２５】
また、上キャップＢの二つの少量注出口部１９およびそれぞれの流通孔２０の径を変えて形成し、上キャップＢを閉蓋した状態で容器を傾ける方向を選択することにより、注出量を変えることができ、注出量の選択肢を三つにすることができる。
【００２６】
本実施例の注出キャップは、上キャップＢと下キャップＡをヒンジＣを介して連設されているので、注出量を選択できる注出キャップを一体成形で成形することができ、生産性に富んでいる。
【００２７】
上記実施例では、下キャップＡの内筒３の内周下部に隔壁２を設けたが、内筒３の外周が容器の口筒部の内周に挿入され、容器内を密閉することができればよいので、内筒３内周に設ける隔壁２の高さは、どの位置でもよい。
また、下キャップＡの上壁１下面と容器の口筒部の密閉が充分であれば、内筒３を設けずに、上壁１の内縁に直接隔壁２を設けるようにしてもよい。
【００２８】
上記実施例では、上キャップＢの少量注出口部１９がヒンジＣ方向に対して側方向に二つ配設されているが、容器を傾ける方向により選択して液を注出することができればよいので、少量注出口部１９を配設する方向および場所はヒンジＣ方向に対して側方向に限定されない。
【００２９】
また、少量注出口部１９を二つ配設することで片方が空気孔としたが、例えば、上キャップＢの頂壁１５に空気孔を配設することによって、容器内の液と空気の置換を行うことができるので、別に、少量注出口部１９を一つとすることでもよい。
さらに、少量注出口部１９を複数、所定の間隔を開けて外周壁１６の上端部に配設することによって、傾けた方向による注出する液量の選択を増やすことができる。
上キャップＢの少量注出口部１９の方向および数は、上記実施例の形態に限定されない。
【実施例２】
【００３０】
次に、第１実施例の下キャップの注出筒の構成を変えた第２実施例について、説明する。
本実施例の第１実施例と同一の構成部分には、同一の符号を付して図示し、詳しい説明を省略し、相違点を中心に説明する。  
【００３１】
図３に示すように、Ａａは容器の口筒部に装着される下キャップ、Ｂａは下キャップＡａにヒンジＣを介して一体成形された上キャップである。
【００３２】
下キャップＡａは、内周下部に隔壁２を設けた注出筒２５と、注出筒２５の外周に連設され、外縁の所定の位置にヒンジＣが連設されるリング状の上壁２６と、上壁２６の上面に立設され、外周が上キャップＢａと係合する係合筒２７と、上壁２６の外縁に垂設され、内周が容器の口筒部の外周に係合する外筒５とからなっている。
【００３３】
注出筒２５の上端部は、液を注出しやすいように外方向に拡径してラッパ状に形成されている。
【００３４】
係合筒２７の外周には、上キャップＢａと係合する係合部２８が設けられている。
【００３５】
上キャップＢａは、頂壁１５と、頂壁１５に垂設され、下部外周が下キャップＡａの注出筒２５の内周に係合する外周壁３０と、外周壁３０の外周に連設され、下面が注出筒２５の上面に係合するリング状の上壁３１と、上壁３１の外縁に垂設され、内周下部が係合筒２７の外周に係合するとともに、外周下端の所定の位置にヒンジＣが連設される外筒３２とを具えている。
【００３６】
外周壁３０の上端部には、頂壁１５とともに形成される少量注出口部１９が配設され、少量注出口部１９の先端中央から外周壁３０の内周まで流通孔２０が穿設されている。
【００３７】
外筒３２の内周下部には、下キャップＡａの係合筒２７の外周に係合する係合部３３が設けられている。
【００３８】
次に、内容液を充填した容器の口筒部に装着した本実施例の注出キャップの作用効果について説明する。
本実施例の注出キャップは、内容液を大量に注出する際に、下キャップＡａと上キャップＢａの係合を外し、ヒンジＣを介して開蓋した状態で、容器をヒンジＣの反対側に傾けると、容器内の内容液が下キャップＡａの隔壁２の開口より注出筒２５内周に流れ出し、広幅かつ大量に注出することができる。
【００３９】
また、注出筒２５の上端部が、液を注出しやすいように外方向に拡径してラッパ状に形成されているので、注出時の液だれを防止することができる。
その他の作用効果は、実施例１と同じである。
【００４０】
上記各実施例では、ヒンジＣを、例えば、三点ヒンジ等の下キャップに対して上キャップを開蓋した際に、開蓋状態を維持して固定することができるものとしたが、ヒンジ機構を変更し、下キャップに対して上キャップを開蓋した際に、上キャップが動き、注出の邪魔をすることを防止するために固定できればよいので、例えば、図４に示すように、ヒンジＣｂを開蓋状態で固定されないものとし、下キャップＡｂの外筒３５に係合凹部３６を設け、上キャップＢｂの外筒３７に、開蓋時に係合凹部３６に係合する係合突部３８を設けて、上キャップＢｂを下キャップＡｂに対して開蓋状態で係止させ、固定させるようにしたものでもよい。
【００４１】
また、下キャップＡｂの外筒３５に係合突部を設け、上キャップＢｂの外筒３７に係合凹部を設けて係合させ、固定させるようにしてもよく、また、それぞれに係止部を設けてもよく、上キャップの下キャップに対する開蓋状態を維持して固定させる構成は、上記各実施例の構成に限定されない。
【産業上の利用可能性】
【００４２】
本発明は、注出キャップにおいて、上キャップを下キャップに対して開閉、および容器の傾け方向を選択することによって、注出量を選択して注出することができるので、各種内容液の容器の注出キャップとして、広く利用することができる。
【図面の簡単な説明】
【００４３】
【図１】本発明の第１実施例の注出キャップの一部断面側面図である。
【図２】注出キャップの開蓋時の説明図で、（ａ）は一部断面側面図、（ｂ）は下面図であ
【図３】本発明の第２実施例の注出キャップの一部断面説明図である。
【図４】注出キャップの別実施例の開蓋時の要部拡大図である。
【符号の説明】
【００４４】
Ａ、Ａａ、Ａｂ    下キャップ
Ｂ、Ｂａ、Ｂｂ    上キャップ
Ｃ、Ｃｂ          ヒンジ
１、１７、２６、３１    上壁
２                隔壁
３                内筒
４、２５          注出筒
５、１８、３２、３５、３７    外筒
６                弱化部
７                除去部
８                プルリング
９、１０、２１、２８、３３    係合部
１５              頂壁
１６、３０        外周壁
１９              少量注出口部
２０              流通孔
２７              係合筒
３６              係合凹部
３８              係合突部
【図１】
2010006448.tif 000003
【図２】
2010006448.tif 000004
【図３】
2010006448.tif 000005
【図４】
2010006448.tif 000006